【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
包装材料を殺菌するための殺菌機器と、
分配される製品を保持するための空間を有するために前記包装材料を形成するための形成機器と、
前記包装材料を搬送するためのコンベヤベルトと、
前記分配される製品を前記包装材料に保持するための前記空間を前記分配される製品で充填するための充填機器と、
前記製品で充填された前記包装材料を完全に封止して、製品包装を得るための第１の封止機器と
を含む、
ことを特徴とする、
オンライン形成、充填、および密封によって製品包装を形成するためのシステム。
【請求項２】
前記コンベヤベルトが水平面と角度をなす
ことを特徴とする、
請求項１に記載のシステム。
【請求項３】
前記システムが、前記包装材料を支えるための支承機器をさらに含む
ことを特徴とする、
請求項１または２に記載のシステム。
【請求項４】
前記包装材料が殺菌された後、前記包装材料が完全に封止されるまで、前記システムが各プロセスに無菌環境を提供する
ことを特徴とする、
請求項２または３に記載のシステム。
【請求項５】
前記システムにおいて、前記充填機器が熱間充填プロセスを使用する
ことを特徴とする、
請求項２または３に記載のシステム。
【請求項６】
前記形成機器が、
前記包装材料を折るための折りユニットと、
前記折られた包装材料の縁部を長手方向に封止して、管形状を形成するための長手方向封止ユニットと
を含む、
ことを特徴とする、
請求項２または３に記載のシステム。
【請求項７】
前記システムが、前記包装材料の外面に分配インタフェースを取り付けるためのインタフェース取付機器も含み、前記分配インタフェースが、インタフェース基部と、インタフェース接続口と、その間に配置されるインタフェース首部とを含む
ことを特徴とする、
請求項２または３に記載のシステム。
【請求項８】
前記インタフェース取付機器が、（ａ）分配される製品を保持するための空間を有するように形成されてない包装材料の外面、または（ｂ）分配される製品を保持するための空間を有する包装材料の外面、に前記分配インタフェースを取り付けるために使用される
ことを特徴とする、
請求項７に記載のシステム。
【請求項９】
前記システムが、前記分配インタフェースを殺菌するためのインタフェース殺菌機器を含む
ことを特徴とする、
請求項８に記載のシステム。
【請求項１０】
前記第１の封止機器が、包装内部空間に、互いに連通する第１の空間と管状空間とを含ませるためにさらに使用される
ことを特徴とする、
請求項２または３に記載のシステム。
【請求項１１】
包装材料を殺菌するステップと、
分配される製品を保持するための空間を有するために前記殺菌された包装材料を形成するステップと、
前記分配される製品を前記包装材料に保持するための前記空間を、前記分配される製品で充填するステップと、
前記製品が充填された前記包装材料を完全に封止して、前記製品包装を得るステップと
を含むことを特徴とし、
少なくとも充填ステップでは、前記包装材料に支持が提供される、
オンライン形成、充填、および密封によって製品包装を形成するための方法。
【請求項１２】
前記方法において、前記包装材料が殺菌された後の各プロセスステップが、前記包装材料が完全に封止されて前記製品包装が得られるまで、殺菌環境で実行される
ことを特徴とする、
請求項１１に記載の方法。
【請求項１３】
前記方法において、前記充填することが熱間充填プロセスを採用する
ことを特徴とする、
請求項１１に記載の方法。
【請求項１４】
前記包装材料形成ステップが、
前記包装材料を折ることと、
前記折られた包装材料の縁部を長手方向に封止して、管形状を形成することと
を含む、
ことを特徴とする、
請求項１１に記載の方法。
【請求項１５】
前記方法が、前記包装材料の外面に分配インタフェースを取り付けることも含み、
前記分配インタフェースが、インタフェース基部と、インタフェース接続口と、その間に配置されるインタフェース首部とを含む
ことを特徴とする、
請求項１２に記載の方法。
【請求項１６】
前記包装材料の外面に前記分配インタフェースを取り付ける前記ステップが、（ａ）前記分配される製品を保持するための空間を有するように形成されていない包装材料の外面、または（ｂ）分配される製品を保持するための空間を有する包装材料の外面、に前記分配インタフェースを取り付けることからなる
ことを特徴とする、
請求項１５に記載の方法。
【請求項１７】
前記方法が、前記分配インタフェースを殺菌することも含む
ことを特徴とする、
請求項１６に記載のシステム。
【請求項１８】
前記方法が、包装内部空間を、互いに連通する第１の空間と管状空間とに分割することをさらに含む
ことを特徴とする、
請求項１１に記載の方法。
【請求項１９】
前記包装材料の対向する第１の部分および第２の部分を部分的に接着することによって、前記方法が、長くて細い接着部が前記包装内部空間を第１の空間と分配ポートとして使用できる管状空間とに分割するように、前記長くて細い接着部を形成し、前記第１の空間および前記管状空間が互いに連通する
ことを特徴とする、
請求項１８に記載の方法。
【請求項２０】
包装バッグと、前記包装バッグの外面に取り付けられる分配インタフェースと
を含むことを特徴とし、
前記分配インタフェースが、包装材料と接触するインタフェース基部と、インタフェース接続口と、その間に配置されるインタフェース首部とを含む、
分配インタフェースを有する大容量の包装バッグ。
【請求項２１】
第１の密封構造が、前記分配インタフェースの前記インタフェース接続口に設けられる
ことを特徴とする、
請求項２０に記載の分配インタフェースを有する大容量の包装バッグ。
【請求項２２】
プルオープン構造が、前記第１の密封構造を前記インタフェース接続口から少なくとも部分的に分離するために、第１の密封構造上に設けられる
ことを特徴とする、
請求項２１に記載の分配インタフェースを有する大容量の包装バッグ。
【請求項２３】
前記包装バッグが尖頭構造を有するキャップも含み、
前記キャップが、キャップ基部と、尖頭構造を有するキャップ頭部と、その間に配置されるキャップ首部とを含み、
前記キャップが前記分配インタフェースに嵌められたとき、前記尖頭構造が前記包装材料を突き通すために使用される
ことを特徴とする、
請求項２０に記載の分配インタフェースを有する大容量の包装バッグ。
【請求項２４】
前記包装バッグがキャップも含み、
前記キャップが、キャップ基部と、尖頭構造を有するキャップ頭部と、その間に配置されるキャップ首部とを含み、
前記キャップが前記分配インタフェースに嵌められたとき、前記尖頭構造が前記包装材料を突き通すために使用され、
前記キャップ首部が中空構造であり、
開口が前記キャップ基部上に設けられ、前記開口が前記中空構造と連通し、
前記開口を封止するために、さらなるキャップが前記キャップ基部上に設けられる
ことを特徴とする、
請求項２０に記載の分配インタフェースを有する大容量の包装バッグ。
【請求項２５】
前記包装バッグがキャップも含み、
前記キャップが、キャップ基部と、尖頭構造を有するキャップ頭部と、その間に配置されるキャップ首部とを含み、
前記キャップが前記分配インタフェースに嵌められたとき、前記尖頭構造が前記包装材料を突き通すために使用され、
前記キャップの前記キャップ首部が中空構造であり、
開口が前記キャップ基部上に設けられ、前記開口は前記中空構造と連通し、
前記接続管が前記キャップ頭部と離れた前記キャップ基部のその側面に設けられ、前記開口が前記接続管と連通する
ことを特徴とする、
請求項２０に記載の分配インタフェースを有する大容量の包装バッグ。
【請求項２６】
前記キャップおよび分配インタフェースには、前記キャップが前記分配インタフェースに嵌められたとき、前記包装材料が前記キャップ頭部の前記尖頭構造によって突き通される前に、前記分配インタフェースに密封がすでに形成されていることを保証するための、対をなす第２の密封構造が設けられる
ことを特徴とする、
請求項２４または２５に記載の分配インタフェースを有する大容量の包装バッグ。
【請求項２７】
前記第２の密封構造が、（ａ）前記インタフェース首部の内壁上に配設される突出部、または、前記キャップ首部の外壁上の突出部である、または、（ｂ）前記インタフェース首部の内壁上、または、前記キャップ首部の外壁上に配設される密封リングである
ことを特徴とする、
請求項２６に記載の分配インタフェースを有する大容量の包装バッグ。